(57)【要約】【解決課題】本発明は、針の種類や大きさを問わずに収納具に戻すことができ、容易に針が抜け出ることのない針収納具を提供することを課題とする。【解決手段】複数の針を収納するカード状の針収納具であって、個々の針を収納する部位に、針の保持部材と、針の側面を弾性的に押圧する押圧部材を設けた針さしカード。  【選択図】図１ａ
2005034469.tif 000002
【特許請求の範囲】
【請求項１】
複数の針を収納するカード状の針収納具であって、個々の針を収納する部位に、針の保持部材と、針の側面を弾性的に押圧する押圧部材を設けた針さしカード。
【請求項２】
複数の針を収納するカード状の針収納具であって、個々の針を収納する部位に、針の先側と後ろ側を保持する少なくとも２カ所の保持部材と、該保持部材の間において針の側面を弾性的に押圧する押圧部材を設けた針さしカード。
【請求項３】
押圧部材が合成樹脂製の板バネ状部材によって構成された請求項１または２記載の針さしカード。
【請求項４】
複数の針を収納するカード状の針収納具であって、個々の針を収納する部位に、複数の合成樹脂部材によって針の側面を挟持するよう構成された押圧部材を設けた針さしカード。
【発明の詳細な説明】
【技術分野】
【０００１】
本発明は、家庭における主婦もしくは小学校などの教育機関において児童、生徒が用いる裁縫用具に関する。
【背景技術】
【０００２】
従来の裁縫用具箱には、針を保持するための針収納具が含まれているものがあり、このような針収納具の中には、異なった種類の複数の針をきちんと整理しておくために、カード状の針収納具を設けたものがある。とりわけ児童が家庭科の学習において使用する裁縫用具箱に用いる針収納具は、ミシン針、手縫い用の大中小の大きさの針や刺繍針、まち針などの大きさや太さの異なる複数の針を収納する必要があり、しかも、針の紛失の有無を確認し、それぞれの針が確実に戻されたかどうかを知ることができるようにするために、針の本数と収納場所が一致するように設定されている。仮に児童が針を使用した後に空いた場所があると、紛失した針があることが確認できるようになっている。
【発明の開示】
【発明が解決しようとする課題】
【０００３】
しかしながら、このような従来の針収納具は、複数の異なった種類の針を容易に脱落することのないように収納するために、それぞれ太さや大きさの異なる針毎に、当該針の寸法に合わせた収納場所を設ける必要があった。例えばミシン針用の収納場所は、ミシン針用の太い寸法の収納場所を設けるが、当該場所にマチ針や手縫い針を納めると、針が抜け出て不用意に紛失する可能性があるので、当該場所にはミシン針用であることを明示し、それ以外の針を収納しないように注意させる必要がある。しかしながら、このような指示は児童らには徹底しにくく、児童によっては決まった場所に針を戻さず、針が抜け出て紛失したり、収納場所に針を戻さずに裁縫箱の中に裸のままの針を放置して怪我をするなどの問題がある。本発明は、このような問題を回避し、針の種類を問わずに収納具に戻すことができ、容易に針が抜け出ることのない針収納具を提供することを課題とする。
【課題を解決するための手段】
【０００４】
本発明によれば、上述の課題は前記特許請求の範囲に記載した手段により達成される。すなわち、本発明は複数の針を収納するカード状の針収納具であって、個々の針を収納する部位に、針の保持部材と、針の側面を弾性的に押圧する押圧部材を設けた針さしカード、及び複数の針を収納するカード状の針収納具であって、個々の針を収納する部位に、針の先側と後ろ側を保持する少なくとも２カ所の保持部材と、該保持部材の間において針の側面を弾性的に押圧する押圧部材を設けた針さしカードであり、押圧部材が合成樹脂製の板バネ状部材によって構成されたもの、押圧部材が複数の合成樹脂部材によって針の側面を挟持するよう構成されたものなどを含む。
【発明の効果】
【０００５】
本発明によれば、針が収納部に差し込まれると、針の側面は押圧部材によって弾性的に押圧され、保持部材の間で針がしっかりと保持され、そのままで抜け落ちることがない。しかも針の太さに関係なく針を保持することができるので、針の太さや長さが違っても収納場所には限定がなく、どの収納部にどのような針を差し入れても同様に確実に針を保持することができる。このため、小学校のような幼少の児童が家庭科の授業において針を使用する場合でも、確実に針を収納場所に簡単に収納することができ、同時に使用後に空いた場所があるかどうかによって、針の紛失の有無を確認することもできる。
【発明を実施するための最良の形態】
【０００６】
本発明の実施の形態における複数の針を収納するカード状の針収納具は、複数の針を収納することができ、それぞれの収納場所の太さや長さなどの寸法は、それぞれを異ならせる必要がない。基本的には最も太くて長い針が収納できるような収納場所の寸法とすることで、どの場所にも任意の針を収納し保持することができる。即ち、個々の針を収納する部位において、針を保持する保持部材と針の側面を針の長手方向と直角に弾性的に押圧する押圧部材を設けることによって構成されている。
【実施例１】
【０００７】
図１ａ〜ｆは、本発明の第１の実施例の針さしカードで、ａは正面図、ｂはその上面図、ｃはその側面図、ｄは図１ａのＢ−Ｂ部断面図、ｅは図１ａのＡ−Ａ断面図、ｆは図１ｄのＣ−Ｃ断面図を示す。この例の針さしカード１は合成樹脂で一体成形されたカードであり、複数の針収納部２が設けられ、それぞれの収納部の太さの寸法は、図１ｂに示すとおり異なった収納部２においても同一寸法に作られている。このような個々の針を収納部２において針の先端側を保持する保持部材３と針の後端側を保持する保持部材４が設けられており、その間において針の側面を弾性的に押圧するための押圧部材５が設けられている。この例では、保持部材４の上部に板状部材６が設けられ、保持部材３の下部にも板状部材７が設けられており、それぞれの板状部材には針に対応する溝が設けられており、該溝全体が収納部２を形成している。
【０００８】
また、この例の押圧部材５は、図１ｃに示すように合成樹脂製のＳ字型をした部材によって構成されており、Ｓ字型の一方端のみが針さしカード本体に接続しているので、この押圧部材５は、板バネ状の弾性部材を構成している。この例において、針８が収納部２に差し込まれると、図１ｃに示すように針８の側面は押圧部材５によって同図の左方向に弾性的に押圧され、保持部材３と保持部材４に押しつけられるため、針がしっかりと保持され、そのままで抜け落ちることがない。しかも、このような押圧部材５によって針が保持されるので、針の太さに関係なく針を保持することができ、針の太さや長さが違っても収納場所には限定がなく、ミシン針のような太い針であっても、マチ針のような細い針であっても、どの収納部に針を差し入れても同様に確実に針を保持することができる。またこのような構成において、保持部材を長めに構成し、これと近接した位置に押圧部材５を設けるなどの方法により、保持部材の一方を省略することもできる。
【実施例２】
【０００９】
他の実施例を図２ａ〜ｃ、図３ａ〜ｃ、図４ａ〜ｃに示す。それぞれａは針収納部付近の正面図、ｂはａのＡ−Ａ断面図、ｃは押圧部材における水平断面図を示す。これらの例は、図１の例と異なり押圧部材が２個の合成樹脂弾性部材によって針の側面を挟持するよう構成された例であり、図１の例とはそれぞれ押圧部材２５，３５，４５が針の側面を挟み込むように保持する点が異なるのみで、他の点の構成は図１の例と同様であり、同様の効果がある。またこのような構成の場合、保持部材は２カ所設ける必要はなく、場合によって上下の一方に設けるか、もしくは双方の保持部材を省略することもできる。
【実施例３】
【００１０】
図５ａ〜ｃ、図６ａ〜ｃは、更に他の実施例を示す図であり、これらの例は、前記の例と異なり、合成樹脂製の押圧部材５５、６５の両端が針さしカードに固着されており、合成樹脂の素材のもつ弾性によって針を弾性的に保持する例を示す。図７ａ〜ｃは、このような合成樹脂製の押圧部材を２カ所に設け、これらの押圧部材７５ａと７５ｂによって針を挟むように保持する例を示す。
【実施例４】
【００１１】
図８ａ〜ｃは、上記例と異なり、押圧部材が合成樹脂製の複数の突起８５で構成されている例を示す。針はこれらの突起８５に挟まれるように保持されるので、上記同様の効果を奏する。
【図面の簡単な説明】
【００１２】
【図１ａ】本発明の実施例の針さしカードを示す図
【図１ｂ】本発明の実施例の針さしカードを示す図
【図１ｃ】本発明の実施例の針さしカードを示す図
【図１ｄ】本発明の実施例の針さしカードを示す図
【図１ｅ】本発明の実施例の針さしカードを示す図
【図１ｆ】本発明の実施例の針さしカードを示す図
【図２ａ】本発明の実施例の針さしカードを示す図
【図２ｂ】本発明の実施例の針さしカードを示す図
【図２ｃ】本発明の実施例の針さしカードを示す図
【図３ａ】本発明の実施例の針さしカードを示す図
【図３ｂ】本発明の実施例の針さしカードを示す図
【図３ｃ】本発明の実施例の針さしカードを示す図
【図４ａ】本発明の実施例の針さしカードを示す図
【図４ｂ】本発明の実施例の針さしカードを示す図
【図４ｃ】本発明の実施例の針さしカードを示す図
【図５ａ】本発明の実施例の針さしカードを示す図
【図５ｂ】本発明の実施例の針さしカードを示す図
【図５ｃ】本発明の実施例の針さしカードを示す図
【図６ａ】本発明の実施例の針さしカードを示す図
【図６ｂ】本発明の実施例の針さしカードを示す図
【図６ｃ】本発明の実施例の針さしカードを示す図
【図７ａ】本発明の実施例の針さしカードを示す図
【図７ｂ】本発明の実施例の針さしカードを示す図
【図７ｃ】本発明の実施例の針さしカードを示す図
【図８ａ】本発明の実施例の針さしカードを示す図
【図８ｂ】本発明の実施例の針さしカードを示す図
【図８ｃ】本発明の実施例の針さしカードを示す図
【符号の説明】
【００１３】
１ 針さしカード
２ 針収納部
３ 保持部材
４ 保持部材
５ 押圧部材
６ 板状部材
７ 板状部材
８ 針
２５、３５、４５  押圧部材
５５、６５       押圧部材
７５ａ、７５ｂ   押圧部材
８５ 突起
【図１ａ】
2005034469.tif 000003
【図１ｂ】
2005034469.tif 000004
【図１ｃ】
2005034469.tif 000005
【図１ｄ】
2005034469.tif 000006
【図１ｅ】
2005034469.tif 000007
【図１ｆ】
2005034469.tif 000008
【図２ａ】
2005034469.tif 000009
【図２ｂ】
2005034469.tif 000010
【図２ｃ】
2005034469.tif 000011
【図３ａ】
2005034469.tif 000012
【図３ｂ】
2005034469.tif 000013
【図３ｃ】
2005034469.tif 000014
【図４ａ】
2005034469.tif 000015
【図４ｂ】
2005034469.tif 000016
【図４ｃ】
2005034469.tif 000017
【図５ａ】
2005034469.tif 000018
【図５ｂ】
2005034469.tif 000019
【図５ｃ】
2005034469.tif 000020
【図６ａ】
2005034469.tif 000021
【図６ｂ】
2005034469.tif 000022
【図６ｃ】
2005034469.tif 000023
【図７ａ】
2005034469.tif 000024
【図７ｂ】
2005034469.tif 000025
【図７ｃ】
2005034469.tif 000026
【図８ａ】
2005034469.tif 000027
【図８ｂ】
2005034469.tif 000028
【図８ｃ】
2005034469.tif 000029